(57)【要約】【課題】第２整地板の周囲を通過する泥土を適正に処理ができ、土壌及び泥土を均平にできる代掻き作業機を提供すること。【解決手段】代掻き作業機１は、回転駆動することで土壌及び泥土を砕土する砕土部３と、この砕土部３の上方を覆うカバー体４と、このカバー体４の後端部で上下方向に回動自在な第１整地体５１と、この第１整地体５１の後端部で上下方向に回動自在な第２整地体５６を設ける。さらに、この第２整地体５６の前方側の下方部に複数設けられ、前方が第２整地体５６の上方側に窪み、且つ後方に至るに従って第２整地体５６の下面側に傾斜し、砕土した土壌及び泥土を下方に案内するための複数の案内部６と、を備えた。また、複数設けた前記案内部６の内、少なくとも１つは第２整地体５６の前後方向に対して傾斜させている。【選択図】    図３
2020130126.tif 000002
【特許請求の範囲】
【請求項１】
回転駆動することで土壌及び泥土を砕土する砕土部と、
該砕土部の上方を覆うカバー体と、
該カバー体の後端部で上下方向に回動自在な第１整地体と、
該第１整地体の後端部で上下方向に回動自在な第２整地体と、
該第２整地体の前方側の下方部に複数設けられ、前方が前記第２整地体の上方側に窪み、且つ後方に至るに従って前記第２整地体の下面側に傾斜し、砕土した土壌及び泥土を下方に案内するための複数の案内部と、
を備えたことを特徴とする代掻き作業機。
【請求項２】
前記案内部に形成される案内面は、第２整地体の下面側に２面で形成される、
ことをさらに特徴とする請求項１に記載の代掻き作業機。
【請求項３】
前記案内部に形成される案内面は、第２整地体の下面側に３面で形成される、
ことをさらに特徴とする請求項１に記載の代掻き作業機。
【請求項４】
前記案内部に形成される案内面は、第２整地体の下面側に湾曲面で形成される、
ことを特徴とする請求項１に記載の代掻き作業機。
【請求項５】
複数設けた前記案内部の内、少なくとも１つは第２整地体の前後方向に対して傾斜させている、
ことをさらに特徴とする請求項１乃至４のいずれか一項に記載の代掻き作業機。
【発明の詳細な説明】
【技術分野】
【０００１】
本発明は、耕耘体あるいは砕土部の後方に砕土された土壌及び泥土を整地する整地体を備えた代掻き作業機に関するものである。詳細には整地体の形状あるいは構造に関するものである。
【背景技術】
【０００２】
トラクタに装着されて使用され、水田等の土壌及び泥土を砕土して整地する作業機として特許文献１に示された代掻き作業機がある。この代掻き作業機に備えられた砕土するための砕土部と、この砕土部の上方を覆うローターカバーを備えている。砕土部及びローターカバーの後方には、砕土された土壌及び泥土を整地し均平にするための整地部が設けられている。この整地部は、第１整地板と第２整地板を備えていて、それぞれ上下に回動することで土壌及び泥土を均平整地するものである。
【先行技術文献】
【特許文献】
【０００３】
【特許文献１】特開２０１２−３９９８１号公報
【発明の概要】
【発明が解決しようとする課題】
【０００４】
特許文献１に記載の代掻き作業機は、進行方向の最後部に位置する第２整地板が下方へ自重によって回動することで土壌及び泥土を押圧しつつ、土壌及び泥土を均平に仕上げていく。しかし、水田等の泥土にみられるように水分を多量に含んだ土壌及び泥土の一部は、前方への進行とともに第２整地板の前方部から上方に溢れてしまうことがある。その結果、前記溢れた土壌及び泥土が第２整地板で均平後の土壌及び泥土の上に単に堆積するようになるので、精度よく均平に整地できない。
【０００５】
したがって、本発明は上記課題に着眼してなされたものであり、第２整地板の周囲を通過する土壌及び泥土を適正に処理することで、土壌及び泥土を均平にする代掻き作業機を提供することを目的とする。
【課題を解決するための手段】
【０００６】
上記目的を達成するために、本発明の一態様は、回転駆動することで土壌及び泥土を砕土する砕土部と、この砕土部の上方を覆うカバー体と、このカバー体の後端部で上下方向に回動自在な第１整地体と、この第１整地体の後端部で上下方向に回動自在な第２整地体と、この第２整地体の前方側の下方部に複数設けられ、前方が第２整地体の上方側に窪み、且つ後方に至るに従って第２整地体の下面側に傾斜し、砕土した土壌及び泥土を下方に案内するための複数の案内部と、を備えた代掻き作業機であることを要旨とする。
【発明の効果】
【０００７】
本発明によれば、第２整地板の周囲を通過する土壌及び泥土を適正に処理ができ、土壌及び泥土を精度良く均平にできる代掻き作業機を提供することができる。
【図面の簡単な説明】
【０００８】
【図１】本発明の実施形態である代掻き作業機の代掻き作業状態を示す平面図である。
【図２】本発明の実施形態である代掻き作業機の代掻き作業状態を示す正面図である。
【図３】本発明の実施形態である代掻き作業機の砕土部及びカバー体及び整地体を進行方向と平行に断面した正面図であり、中央作業体及び左右の作業体をそれぞれ共通のものとして示した図である。
【図４】本発明の実施形態である代掻き作業機の要部を拡大して進行方向と平行に断面した正面図である。
【図５】本発明の実施形態である代掻き作業機の要部を進行方向前方から見て拡大した側面図である。
【図６】本発明の実施形態である代掻き作業機の第２整地体の案内部を進行方向の前方及び下方から見た斜視図である。
【図７】本発明の実施形態の第１変形例を示す第２整地体の案内部を進行方向の前方及び下方から見た斜視図である。
【図８】本発明の実施形態の第２変形例を示す第２整地体の案内部を進行方向の前方及び下方から見た斜視図である。
【発明を実施するための形態】
【０００９】
図面を参照して、本発明の一実施形態を説明する。説明においては、図１に示す左側を進行方向の前方側、右側を進行方向の後方側、上側を進行方向の右方側、下側を進行方向の左方側、また、図２に示す下側を機体下方側、上側を機体上方側として説明する。図面の記載において、同一又は類似の部分には同一又は類似の符号を付すことがある。例えば、カバー体を符号４として付し、左カバー体を４Ｌ、右カバー体を４Ｒと付すものである。また、左カバー体４Ｌ、右カバー体４Ｒ及びその他のカバー体４の区別をしない場合は、代表してカバー体４と呼称することがある。
説明に用いる図面は模式的なものであり、各部の寸法との関係等は現実のものとは異なることがある。また、本発明の技術的思想は、特許請求の範囲に記載された請求項が規定する技術的範囲内において、種々の変更を加えることができる。
【００１０】
代掻き作業機１の概要を説明する。
代掻き作業機１は、走行機体であるトラクタ（図示せず）の後部に設けられた昇降リンクである３点リンク機構に装着して、砕土作業や代掻き作業に使用される。代掻き作業機耕１は、装着部２０を有したフレーム２を備えていて、装着部２０と３点リンク機構とを連結させることによって代掻き作業機１は昇降自在である。また、代掻き作業機１は、トラクタ側から出力される動力を獲得することによって、フレーム２下方に位置する砕土部３を回転駆動させる。この砕土部３は、進行方向と直交方向の水平軸で回転するロータ軸３１に爪３２を複数有している。トラクタの進行と共に爪３２の回転駆動させることで、土壌を砕土することができる。砕土部３の上部には、カバー体４が設けられていて、砕土時の土壌が周囲へ飛散する事を防止する。
【００１１】
カバー体４の後方側の端部には、上下に回動自在に設けた整地体５が設けられていて、上下回動しながら整地体５の後部を接地させることで、耕耘体５で砕土後の土壌を均平に整地して代掻き作業をする。さらに整地体５は、カバー体４の後端部で上下に回動する第１整地体５１と、この第１整地体５１の後端部で上下に回動する第２整地体５６とで構成されている。これら第１整地体５１及び第２整地体５６は、それぞれ共働することで、砕土部３による砕土後の土壌及び泥土を均平に整地することができる。
【００１２】
また、説明する代掻き作業機１は、フレーム２の両端部に設けられた支点部で回動することで、作業状態と格納状態とに形態を変形可能にしている。作業状態は、進行方向と直交する方向の機体幅を展開して代掻き作業を行なう状態で、格納状態は、移動時や格納時に進行方向と直交する方向の機体幅を折畳んで短縮した状態である。
【００１３】
代掻き作業機１の詳細を説明する。
前記フレーム２は代掻き作業機１の骨格をなす部位であり、装着部２０、入力ケース２１、パイプフレーム２２、伝動ケース２３、サポートフレーム２４、を備える。
【００１４】
装着部２０は、代掻き作業機１の前方中央部に設けてあり、上部中央のトップリンクピン２０１とその下方左右に位置する一対のロアリンクピン２０２により構成されている。これらトップリンクピン２０１、ロアリンクピン２０２をトラクタ側の３点リンク機構（図示せず）にそれぞれ連結することで、代掻き作業機１はトラクタに装着される。装着部２０の中央には、入力ケース２１が設けられ、前方に向け入力軸２１１が突設されている。入力軸２１１は、トラクタの出力軸（図示せず）とユニバーサルジョイント等で連結されてトラクタから出力された回転動力が入力される。入力ケース２１上部には、トップマスト２１２が前方及び上方に向け突設され、この上端部には前記トップリンクピン２０１が備えられる。
【００１５】
入力ケース２１には、一端を入力ケース２１に接続して左右側方にそれぞれに突出させたパイプフレーム２２が設けられている。左右側方にそれぞれに配置したパイプフレーム２２は丸パイプで構成し、それぞれ同軸に配置している。パイプフレーム２２の左右いずれかの他端側（図１において進行方向右側）には、下方に向かって延設された上下方向に長い伝動ケース２３と、左右他方側のパイプフレーム２２の他端部から下方に向かって延設された上下方向に長いサポートフレーム２４が位置している。上記した部材を備えたフレーム２の下方には、砕土部３が設けられる。
【００１６】
砕土部３は、ロータ軸３１と爪３２を有した部材で、パイプフレーム２２の下方で、伝動ケース２３下端部とサポートフレーム２４の下端部との間に架設支持されている。ロータ軸３１は、伝動ケース２３とサポートフレーム２４の下部に架設すると共に回転自在な軸体である。ロータ軸３１には、放射状に一定間隔を設けて爪３２が多数取り付けられていて、ロータ軸３１と爪３２が一体になって、砕土部３を構成する。砕土部３は、入力軸２１１でトラクタから出力された回転動力を入力し、入力ケース２１及び伝動ケース２３を介してロータ軸３１に出力されることで、回転駆動する。この回転駆動によって、下方に位置する土壌を砕土する。
【００１７】
砕土部３は、入力軸２１１から入力された動力を伝動させることによって回転駆動ができる。入力軸２１１から入力された動力は、入力ケース２１１に内装されるギヤによって減速され、左右一方側の側方に突設したパイプフレーム２２（図５においては進行方向左側）内を通る出力軸（図示せず）により伝動ケース２３内に伝達される。伝動ケース２３内にはチェーン及びスプロケット等の伝動部材（図示せず）を配置することで、トラクタの動力は砕土部３に伝達され、砕土部３が回転駆動する。図２及び図３に示す実施形態においては、砕土部３は未耕地である前方側がダウンカットされるように紙面上の左回転として図示しているが、アップカットである右回転となるように構成しても良い。
【００１８】
砕土部３の上部には、爪３２の回転外周端と沿い、且つ離間してカバー体４が設けられている。カバー体４は、フレーム２に固定した板状部材等で構成されていて、左右側方の端部を伝動ケース２３とサポートフレーム２４にそれぞれを取り付けている。このようにして砕土部３の上方部をカバー体４で覆うことで、砕土部３側から飛散される耕耘土の上方側への飛散を防止している。
【００１９】
ここで、代掻き作業機１の機体幅を作業状態と格納状態と変形させる機構について説明する。
前記カバー体４及び砕土部３の両端側には、延長作業体として、カバー体４及び砕土部３と同様の部材を進行方向と直交する幅方向に延長して設ける。進行方向左側に位置して作業をする左カバー体４Ｌ及び左砕土部３Ｌ、進行方向右側に位置して作業をする右カバー体４Ｒ及び右砕土部３Ｒがそれぞれ配置されている。説明においては左側作業体のみを説明し、右側作業体は左側作業体の対称形態であるので説明は省略する。
【００２０】
機体幅を展開した作業状態での左砕土部３Ｌは、作業状態時の中央に位置する砕土部３の進行方向左側の同一直線状に位置している。左砕土部３Ｌは、中央作業体の砕土部３と同様、左ロータ軸３１Ｌと爪３２を有している。左ロータ軸３１Ｌには爪３２が放射状で軸方向に一定間隔に配置されていて、回転動力を得ることで砕土作業ができる。動力の獲得は、中央作業体である砕土部３から得る。中央作業体である砕土部３のロータ軸３１の左端部は、伝動ケース２３あるいはサポートフレーム２４を貫通させていて、この端部、すなわち、伝動ケース２３の下端部左側にはドグクラッチ３３をロータ軸３１と一体に設ける。このドグクラッチ３３は、左ロータ軸３１Ｌの右端部に設けたドグクラッチ３３Ｌと係合し、回転動力を左砕土部３Ｌに伝動する。このようにして回転動力を得た左砕土部３Ｌは、砕土作業が可能になる。
【００２１】
左砕土部３Ｌの上方及び側方を覆うように左カバー体４Ｌが設けられている。左砕土部３Ｌの両端は、左カバー体４Ｌの左右側方に設けられた側板に設置された軸受で支持されていて、左砕土部３Ｌは回転自在に設けられている。また、左カバー体４Ｌによって、左砕土部３Ｌが砕土時に発生する泥や土の上方及び側方側飛散を防ぐ。
【００２２】
左カバー体４Ｌの右端部には上方に向けて左支点フレーム４１Ｌが設けられている。左支点フレーム４１Ｌは、左砕土部３Ｌ及び左カバー体４Ｌと一体になって上方側に回動することで、左側作業体である左砕土部３Ｌ及び左カバー体４Ｌを作業状態と格納状態とに切換えることができる。
【００２３】
左支点フレーム４１Ｌの上端部は、入力ケース２１の左右それぞれに配置したパイプフレーム２２の他端側上部に設けた支点部２５と連結されている。支点部２５は軸線を進行方向と平行で、前方側をやや上方斜めに向けている。格納状態での左側作業体である左砕土部３Ｌ及び左カバー体４Ｌは、作業状態から１８０度上方側に反転した中央作業体である砕土部３及びカバー体４の上方に位置し、代掻き作業機１は、全体幅を短縮することができる。また、格納状態での左砕土部３Ｌの中央作業部寄りの左ドグクラッチ３３Ｌは、中央側のドグクラッチ３３との係合が解除されているので、左砕土部３Ｌは回転駆動ができない。上記した構成により、代掻き作業機１は、機体幅を展開した作業状態と折畳んだ格納状態とに変更が可能である。
【００２４】
さて、カバー体４の後端部には、後方及び下方に向けて垂れ下げるように整地体５を設けている。同様に、左右作業体のカバー体４Ｌ、４Ｒの後端部から後方及び下方に向けて垂れ下げるように整地体５Ｌ、５Ｒを設けている。また、整地体５Ｌ、５Ｒは、カバー体４Ｌ、４Ｒにそれぞれ取付けているので、代掻き作業機１が作業状態及び格納状態に変更する場合、カバー体４Ｌ，４Ｒ及び砕土部３Ｌ，３Ｒと共に一体となって回動する。
【００２５】
整地体５は、第１整地体５１と、第２整地体５６を備えている。左右の整地体５Ｌ及び５Ｒも同様に第１整地体５１Ｌ、５１Ｒと、第２整地体５６Ｌ、５６Ｒを備えている。
第１整地体５１は、左右の幅をカバー体４とほぼ同じ程度に設定した板５１１を有し、図２及び図３に示すように、Ｓ字状に湾曲及び折り曲げている。第１整地体５１は、前方端部あるいは上方端部に配置した複数のヒンジ５２によって、上下回動自在である。ヒンジ５２の回動支点軸は進行方向左右に向けていて、ロータ軸３１の軸と平行である。このため、第１整地体５１の下方側は爪３２の回転径から遠ざかる、又は、近づくように、回動動作をすることができる。
【００２６】
第１整地体５１は、板５１１によって砕土部３の後方を覆うように配置しているため、砕土部３で砕土された土壌が後方へ飛散することを防ぐ。また、砕土作業時の第１整地体５１は、上方に回動して、第１整地体５１の砕土部３側に面した板５１１を接地させることによって、砕土部３で砕土後の土を均平整地する。
【００２７】
第１整地体５１の後端部には、第２整地体５６が上下回動自在に取付けられている。同様に、左右の第１整地体５１Ｌ及び５１Ｒの後端部にも、第２整地体５６Ｌ、５６Ｒを上下回動自在に取付けられている。これら第２整地体５６は、下部に整地板５６１を有した進行方向に対する幅方向に長い部材である。上下回動自在にするための回動支点５６２は、整地板５６１より進行方向前方側で上方に位置させていて、第１整地体５１の板５１１の左右両側の後端部で、板５１１の後端より上方に位置した支点軸５１２に回動自在に取付ける。
代掻き作業時において、ほぼ水平状態となった整地板５６１が、第１整地体５１を通過後の砕土面に接触し、自重によって押圧することで、第１整地体５１では十分に整地及び均平にしきれなかった砕土面を、より一層高い精度で整地行い、整地後の面を均平に仕上げる。
【００２８】
整地板５６１は、前方側が鉛直方向上方に折れ曲がった立上り部５６３が設けられている。この立上り部５６３から、整地板５６１の前後方向に対する中間部下面に至るように整地板５６１を上方側に窪ませたように形成した案内部６が、整地板５６１の左右方向に複数設けられている。
【００２９】
この実施形態の場合、立上り部５６３の前面側から見た案内部６は、整地板５６１の下面５６４から上方に向けて三角状に窪んでいる。すなわち、下面５６４は、進行方向前方から見た断面として見た場合、上方に向けた２辺によって窪んでいると言える。あるいは、下面５６４の前方部は、上方に向けて２面が窪むことで案内部６を形成しているとも言える。
【００３０】
前記２辺の窪みと下面５６４の延長線上で囲んだように形成した三角状の窪み部分は、整地板５６１の後方に至るに従って断面積が減少するように形成している。案内部６は、上記した窪みによって構成され、この窪みを構成する２つの面が交差することで形成される谷線６１は、図４に図示するように、進行方向と平行の後方に至るに従って下面５６４に向うように傾斜している。整地板５６１の下面５６４の前後方向に対する中間部から後方側は、案内部６は形成されてはいない。図４における谷線６１の角度は、下面５６４を基準に上方に５〜２０度傾斜させることが望ましく、図４に示す実施形態においては、より好適な１２度の傾斜としている。
【００３１】
前記案内部６の三角状に窪ませて形成された２つの面は、案内面６２として機能する。案内面６２は後方に向って徐々に窄まった形状であるので、案内部６に流入した土壌及び泥土を再度、第２整地体５６の前方に逆流させることがない。また、案内面６２は、立上り部５６３に臨ませた案内部６の窪みから流入する土壌及び泥土を整地板５６１の下面５６４側に送り込む効果がある。
【００３２】
整地板５６１の長手方向と直交する方向に代掻き作業機１を前進させると、第１整地体５１の下面側を通過した土壌及び泥土は、第２整地体５６の整地板５６１下面５６４に接触及び押圧される。こうすることで、土壌及び泥土は、第１整地体を通過時よりさらに均平にして整地されるのである。第２整地体５６で均平・整地がされる直前、第２整地体５６の前面側に位置する土壌及び泥土は、立上り部５６３に臨む。このときの土壌及び泥土の上面部は、整地板５６１下面５６よりやや高く位置している状態である。
【００３３】
土壌及び泥土の上面を基準にすると、立上り部５６３には、あたかも三角形状に開口されたように案内部６が位置している。この状態で、第２整地体５６が前進すると、立上り部５６３の前方に位置する土壌及び泥土は、案内部６の前方部に向って流れを形成すると共に、案内部６に流入する。その後、第２整地体５６がさらに前進するにしたがって、土壌及び泥土は案内面６２及び谷線６１に案内されて、徐々に整地板５６１の後方側の下面５６４に向って移動する。
【００３４】
さらに第２整地体５６を前進させると、土壌及び泥土は案内部６下方を通過して、整地板５６１の後方側の下面５６４に移動する。整地板５６１の下面５６４側を移動中の土壌及び泥土の上部は、回動支点５６２で上下回動自在の第２整地体５６の自重によって、押圧された状態である。この押圧によって、第２整地体５６の下方にある土壌及び泥土は均平に整地される。また、第２整地体５６は進行方向に直交する左右方向に長い部材であるので、第２整地体５６が通過する幅方向に均平に整地することができる。
【００３５】
また、この案内部６は第２整地体５６の長手方向に複数配置されているので、第２整地体５６の前進に伴って立上り部５６３の前方に臨んだ土壌及び泥土は、効率的に案内部６に流入させることができる。こうすることで、立上り部５６３、引いては第２整地体５６の前方に位置する土壌及び泥土が、立上り部５６３の上部を越えて第２整地体５６を乗り上げることなく、案内部６に流入させることができる。その後、土壌及び泥土は案内面６２及び谷線６１に案内されて、第２整地体５６の下方に相対的に移動をすることができる。結果、砕土部３及び第１整地体５１を通過後の土壌及び泥土は、第２整地体５６を乗り超えて第２整地体５６で均平整地後の土壌及び泥土の上に堆積することがない。したがって、代掻き作業機１は、案内部６によって精度良い整地及び均平作業が可能である。
【００３６】
案内部６の向き、すなわち案内面６２及び谷線６１の向きに限定は無い。土壌及び泥土が、案内部６に案内されて第２整地体５６の下方に移動することは前述のとおりであるが、案内面６２及び谷線６１の向きを変えることで、この移動先を変更することができる。図１において、中央作業体の第２整地体５６の左右両端部に向きを変更した案内部６a、６ｂを設けている。すなわち、第２整地体５６に複数設けた案内部６の内、少なくとも１つ設けられる案内部６a、６ｂは、第２整地体５６の前後方向に対して水平方向に向きを傾斜させて配置している、と言える。代掻き作業機１の進行方向と平行の機体幅に対する中心軸を基準とした場合、案内部６aは案内部６ｂより外側に設けている。案内部６a、６ｂの傾きは、進行方向に対し平面視で５〜２５度傾けられている。より好適には、１０〜２０度とされる。図１に示す平面視において、案内部６a、６ｂの谷線６１ａ、６１ｂは、進行方向を基準線として、最も好適とされる１５度水平方向に傾けている。
【００３７】
案内部６aは、谷線６１ａの向きが、図１に示す平面視で、後方に向うに従って、第２整地体５６の中央側に向いている。こうすることで、第２整地体５６の下方を移動する土壌及び泥土は、第２整地体５６前方に進行すると共に、谷線６１ａに沿って第２整地体５６の中央側に移動できる。
案内部６ｂは、谷線６１ｂの向きが、図１に示す平面視で、後方に向うに従って、第２整地体５６の外側側方に向いている。こうすることで、第２整地体５６の下方を移動する土壌及び泥土は、第２整地体５６前方に進行すると共に、谷線６１ａに沿って第２整地体５６の外側に向けた側方に移動できる。
【００３８】
案内部６a、６ｂを設けた場合の効果を、具体例を挙げて説明する。代掻き作業機１を装着するために前方に位置しているトラクタ等の走行車は、車輪や履帯等の走行部を有する。走行することによって、車輪や履帯等の下方に位置する土壌及び泥土は、側方に押し出され、轍を形成する。この轍は、砕土部３での耕耘・砕土によって、また、その後方に位置する第１整地体５１によって、ある程度は均すことが可能であるが、依然として凹凸は残留していることがある。このため、案内部６a、６ｂは、轍の上部に突出した凸部上に位置するように第２整地体５６に設けている。このため、砕土部３や第１整地体５１で整地しきれなかった轍の両脇に存在する筋状の凸部を、案内部６a、６ｂによって、凸部間にある凹部に土流を発生させて埋めることができる。結果、盛り上がった土壌及び泥土を、案内部６a、６ｂによって精度良く均平整地することができる。
【００３９】
案内部６、６ａ、６ｂは前述したように、断面視で２辺を上部に窪ませた、あるいは、２面を上部にＶ字状に窪ませた例で説明したが、この形状に限定するものではない。後述する変形例を挙げて説明する。
【００４０】
図７は、第１変形例の案内部を示した斜視図である。この第１変形例の案内部６ｃは、立上り部５６３の前面側から見た場合、整地板５６１の下面５６４から上方に向けて矩形状に窪んでいる。すなわち、下面５６４は、進行方向前方から見た断面として見た場合、上方に向けた３辺が窪むことで案内部６ｃを形成しているとも言える。あるいは、下面５６４の前方部は、上方に向けて窪んだ３面で構成れているとも言える。
【００４１】
前記３辺の窪みと下面５６４の延長線上で囲んだように形成した矩形状の窪み部分は、整地板５６１の後方に至るに従って、断面積が減少するように形成している。案内部６ｃは、上記した窪みによって構成され、この窪みを構成する３つの面のうち、上下方向に面する上部案内面６１ｃは、進行方向と平行の後方に至るに従って下面５６４に向うように傾斜している。残る２面は整地板５６１の下面５６４から鉛直方向に立てて、案内面６２ｃを構成している。整地板５６１の下面５６４の前後方向に対する中間部から後方側は、第１変形例の案内部６ｃは形成されてはいない。また、案内部６ｃは、前述の案内部６ａ、６ｂ同様に、進行方向に対する水平方向に傾斜させて配置することも可能である。
【００４２】
第１変形例の案内部６ｃは、立上り部５６３の前面側から矩形状に開口された形状であるため、この開口面積を効率的に大きく取れる。したって、第２整地体５６の前方に位置する土壌及び泥土を効率よく案内部６ｃに取り込むことができる。また、案内部６ｃを進行方向に対する水平方向に傾斜させて配置した場合、案内面６２ｃは鉛直方向に設けているので、進行方向に対して側方に移動させる力が、前記案内面６２より強く働かせることができる。この際、案内部６ｃ内に取り込んだ土壌及び泥土によって第２整地体５６を浮かせる力が働かないため、より強く整地面に第２整地体５６による押圧力を掛けることができる。結果、精度良く土壌及び泥土を均平整地することができる。
【００４３】
次に図８を用いて案内部の第２変形例を説明する。第２変形例での案内部６ｄは、立上り部５６３の前面側から見た場合、整地板５６１の下面５６４から上方に向けて円弧状に窪んでいる。この窪み部分は、整地板５６１の後方に至るに従って、断面積が減少するように形成している。下面５６４の前方部は、上方に向けて窪んだ湾曲面で構成れているとも言える。
【００４４】
第２変形例の場合、この湾曲面が案内面６２ｄとして構成される。整地板５６１の下面５６４の前後方向に対する中間部から後方側は、第１変形例の案内部６ｄは形成されてはいない。また、案内部６ｄは、前述の案内部６ａ、６ｂ、６ｃ同様に、進行方向に対する水平方向に傾斜させて配置することも可能である。
【００４５】
第２変形例の案内部６ｄは、湾曲面によって案内面６２ｄが形成されているので角状の隅部分が無い。土壌及び泥土が案内部６ｄを通過する際、この隅部分に滞留することに起因する土壌の堆積がなく、性能を維持できる。案内部６ｄは、メンテナンスに係る負担を低減させ長期間に亘って土壌及び泥土案内する機能を維持できる。
【００４６】
説明において、案内部６は第２整地体５６の立上り部５６３に設けた。しかし、さらなる均平精度の向上のため、第２整地体５６の後部に、この第２整地体５６とほぼ同様の機能を有し且つ、上下に回動自在にした第３整地体（図示せず）を配置し、この第３整地体の整地板の立上り部に案内部を設けてもよい。
【００４７】
以上のように構成した代掻き作業機１は、第２整地体５６の前方の下面５６４に案内部を備えることで、第２整地板の前方に位置する土壌及び泥土を効率よく第２整地板の下方に導き、土壌及び泥土を適正に処理して均平整地する代掻き作業機を提供できる。
【００４８】
本発明は、上記の実施形態によって記載したが、この開示の一部をなす論述及び図面は、本発明を限定するものであると理解すべきではない。この開示に基づく実施形態、実施例及び運用技術の改変は、特許請求の範囲に記載された範囲内で可能であることは言うまでもない。
【産業上の利用可能性】
【００４９】
本発明は、上下方向に回動可能な整地体を備え、均平及び整地作業を行なう作業機に利用可能である。
【符号の説明】
【００５０】
１      代掻き作業機
２      フレーム
３      砕土部
４      カバー体
５      整地体
５１    第１整地体
５６    第２整地体
５６３  立上り部
５６４  下面
６      案内部
６１    谷線
【図１】
2020130126.tif 000003
【図２】
2020130126.tif 000004
【図３】
2020130126.tif 000005
【図４】
2020130126.tif 000006
【図５】
2020130126.tif 000007
【図６】
2020130126.tif 000008
【図７】
2020130126.tif 000009
【図８】
2020130126.tif 000010